(57)【特許請求の範囲】
【請求項１】
合掌貼りシールの先端縁に易開封手段が形成され、かつ、この合掌貼りシール部分が袋本体部分において側方に倒され、かつこの倒された方向であって、前記易開封手段と対向する袋本体の側縁部分にヒートシール部が形成され、このヒートシール部にカット手段が形成されたピロー包装袋において、前記合掌貼りシール部の易開封手段部分を覆い、かつこの易開封手段部分を袋本体の裏面に密着固定するための押えテープ又はシール又はラベルが袋本体の裏面に粘着されていること、を特徴とする易開封手段を施したピロー包装袋。
【請求項２】
前記押えテープ又はシール又はラベルは、合掌貼りシール部分を横断するように粘着されていることを特徴とする請求項１に記載の易開封手段を施したピロー包装袋。
【請求項３】
前記押えテープ又はシール又はラベルは、合掌貼りシール部分において、少なくとも易開封手段側にのみ粘着されていることを特徴とする請求項１に記載の易開封手段を施したピロー包装袋。
【請求項４】
前記押えテープ又はシール又はラベルには、合掌貼りシール部分を横断する方向に引き裂き易いカット性が付与されていることを特徴とする請求項１に記載の易開封手段を施したピロー包装袋。
【請求項５】
前記押えテープ又はシール又はラベルには、前記カット手段側の側縁又は両側縁にV又はI型又は傷痕が形成されていることを特徴とする請求項１に記載の易開封手段を施したピロー包装袋。
【請求項６】
前記押えテープ又はシール又はラベルには粘着テープが用いられていることを特徴とする請求項１ないし５のいずれか１項に記載の易開封手段を施したピロー包装袋。
【請求項７】
前記押えテープ又はシール又はラベルは接着剤を用いて貼着されていることを特徴とする請求項１ないし５のいずれか１項に記載の易開封手段を施したピロー包装袋。
【請求項８】
前記易開封手段は、合掌貼りシールの端縁に沿ってこの端縁の全部又は一部に形成されていることを特徴とする請求項１に記載の易開封手段を施したピロー包装袋。
【請求項９】
前記合掌貼りシールは、合わせた先端縁が同一又は少しずらした状態でシールされていることを特徴とする請求項１に記載の易開封手段を施したピロー包装袋。
【請求項１０】
ａ．原反ロールから繰り出されたフラットなフィルムの両端を引き寄せて合掌貼りシールを行い、円筒状に形成する工程、
ｂ．前記合掌張りシール部分の端縁に易開封手段を施し、一方に倒す工程、
ｃ．前記易開封手段部分の上部を横一文字にエンドシールを行うと共にこのエンドシールより下であって、前記倒した合掌貼りシール側の易開封手段と対向する側縁にヒートシール部を形成する工程、
ｄ．前記ヒートシール部にカット手段を形成する工程、
ｅ．前記合掌貼りシール部に形成した易開封手段の上を覆い、かつ横断するように押えテープ又はシール又はラベルを貼り付けて易開封手段部分を袋本体側の裏面に密着固定させる工程、
ｆ．前記エンドシールの上部に沿ってカットを行い、袋単位に形成する工程、
ｇ．からなる易開封手段を施したピロー包装袋の製法。
【発明の詳細な説明】
【技術分野】
【０００１】
本発明は、フイルムを円曲させてこの両端の内面を互いに合わせ、この合わせた部分をヒートシールした所謂合掌貼り方式で背貼りが行われたピロー包装袋において、開封時に袋のサイドから前記背貼りの部分を横断しながら横一文字にカットできる易開封手段を施したピロー包装袋とこの製法に関するものである。
【従来の技術】
【０００２】
上記のような易開封手段を施したピロー包装袋として、本件出願人は特許第４３３８１７５号特許権（特許文献１）を所有し、実用化している。
【０００３】
この易開封手段を施したピロー包装袋は図９（Ａ）（Ｂ）に示すように、ピロー包装袋本体１の背貼り２の部分に易開封手段３を設け、この背貼り２を左方向に倒して袋本体１の裏面にヒートシール４を行い、更に袋本体１のサイドであって、前記易開封手段３と対向する部分にヒートシール部５を形成し、このヒートシール部５に易開封手段３に向けてＶ又はＩノッチ６を入れた内容である。
【０００４】
このように構成すると、袋本体１は、ノッチ６から引き裂きを開始すると、やがてこの引き裂き目は背貼り２の易開封手段３を介して背貼り２を横断し、やがて袋本体１の反対側まで引き裂け、全開することができる。
【０００５】
このように、特許文献１によると、従来のピロー包装袋は、背貼り２の部分が障害となって、横一文字に開封することができなかったものを、手で簡単に引き裂いて開封することができるため、食品や菓子の分野において広く利用されている。
【０００６】
その他、上記した特許文献１と同様の目的の公知例として図１０（Ａ）（Ｂ）に示すように背貼り２の部分において、ヒートシール方式ではなく、ホットメルト７を用いてこの背貼り２を袋本体１の裏面に接着する内容のものが提案されている。
【０００７】
その他、特許文献１と同様の目的のものとして、特許文献２ないし４が公知である。
【０００８】
このように、従来の易開封手段を施したピロー包装袋は、ヒートシール４又はホットメルト７を用いて背貼り２を包装体１の裏面に接着させているため、次のような問題がある。
１．ヒートシール方式は、袋本体１の裏面のフイルムがヒートシール性を有しないと
ヒートシールを行うことができないため、このヒートシール性フイルムを積層する
ためにコストがかかる。
２．一方、ホットメルト方式は、上記ヒートシール方式のような問題は生じないが、
ホットメルト７は温度に対する依存性が高く、例えば低温で容融するため、袋のま
まで電子レンジでの加熱処理や冷凍・チルド食品では必要な接着強度が得られず、
折角の横断機能が失われて引き裂きが背貼り２の部分で止ってしまうという問題が
ある。
【先行技術文献】
【特許文献】
【０００９】
【特許文献１】特許第４３３８１７５号公報
【特許文献２】特許第３７２００４２号公報
【特許文献３】特許第３６５３０９２号公報
【特許文献４】特許第４１９９０２４号公報
【発明の概要】
【発明が解決しようとする課題】
【００１０】
本発明の目的は、低コストにより実施化を可能にすると共に電子レンジでの加熱や冷凍・チルド食品用においても有効な易開封手段を施したピロー包装袋とこの製法を提供することである。  
【課題を解決するための手段】
【００１１】
上記目的を達成するため、請求項１に記載の発明は、易開封手段を施したピロー包装袋において、合掌貼りシールの先端縁に易開封手段が形成され、かつ、この合掌貼りシール部分が袋本体部分において側方に倒され、かつこの倒された方向であって、前記易開封手段と対向する袋本体の側縁部分にヒートシール部が形成され、このヒートシール部にカット手段が形成されたピロー包装袋において、前記合掌貼りシール部の易開封手段部分を覆い、かつこの易開封手段部分を袋本体の裏面に密着固定するための押えテープ又はシール又はラベルが袋本体の裏面に粘着されていること、を特徴とするものである。
【００１２】
また、請求項２に記載の発明は、請求項１に記載の発明において、前記押えテープ又はシール又はラベルは、合掌貼りシール部分を横断するように粘着されていることを特徴とするものである。
【００１３】
また、請求項３に記載の発明は、請求項１に記載の発明において、前記押えテープ又はシール又はラベルは、合掌貼りシール部分において、少なくとも易開封手段側にのみ粘着されていることを特徴とするのものである。
【００１４】
このように、易開封手段側のみが密着固定されていれば、引き裂き目は合掌貼り部分に進入し、横断の目的を達成することが可能である。
【００１５】
また、請求項４に記載の発明は、請求項１に記載の発明において、前記押えテープ又はシール又はラベルには、合掌貼りシール部分を横断する方向に引き裂き易いカット性が付与されていることを特徴とするものである。
【００１６】
また、請求項５に記載の発明は、請求項１に記載の発明において、前記押えテープ又はシール又はラベルには、前記カット手段側の側縁又は両側縁にV又はI型又は傷痕（マジックカット）が形成されていることを特徴とするのものである。
【００１７】
また、請求項６に記載の発明は、請求項１ないし５のいずれか１項に記載の発明において、前記押えテープ又はシール又はラベルには粘着テープが用いられていることを特徴とするのものである。
【００１８】
また、請求項７に記載の発明は、請求項１ないし５のいずれか１項に記載の発明において、前記押えテープ又はシール又はラベルは接着剤を用いて貼着されていることを特徴とするものである。
【００１９】
また、請求項８に記載の発明は、請求項１に記載の発明において、前記易開封手段は、合掌貼りシールの端縁に沿ってこの端縁の全部又は一部に形成されていることを特徴とするものである。
【００２０】
また、請求項９に記載の発明は、請求項１に記載の発明において、前記合掌貼りシールは、合わせた先端縁が同一又は少しずらした状態でシールされていることを特徴とするものである。
【００２１】
この発明によると、段階的に引き裂き目が合掌貼り部分に進入するため、最初の抵抗を減じて引き易くなる。
【００２２】
また、請求項１０に記載の発明は、易開封手段を施してなるピロー包装袋の製法において、ａ．原反ロールから繰り出されたフラットなフィルムの両端を引き寄せて合掌貼りシールを行い、円筒状に形成する工程、ｂ．前記合掌張りシール部分の端縁に易開封手段を施し、一方に倒す工程、ｃ．前記易開封手段部分の上部を横一文字にエンドシールを行うと共にこのエンドシールより下であって、前記倒した合掌貼りシール側の易開封手段と対向する側縁にヒートシール部を形成する工程、ｄ．前記ヒートシール部にカット手段を形成する工程、ｅ．前記合掌貼りシール部に形成した易開封手段の上を覆い、かつ横断するように押えテープ又はシール又はラベルを貼り付けて易開封手段部分を袋本体側の裏面に密着固定させる工程、ｆ．前記エンドシールの上部に沿ってカットを行い、袋単位に形成する工程、からなることを特徴とするものである。
【００２３】
この発明によると、テープ、シール、ラベルを用いた易開封手段付のピロー包装袋を能率よく、低コストにより生産することができる。
【発明の効果】
【００２４】
本発明は以上のとおり、易開封手段を施したピロー包装袋において、合掌貼り部分をヒートシール方式ではなく、押さえテープ又はシール又はラベルで袋の裏面に押さえつけるように構成したことにより、ピロー包装袋の外表面にヒートシール性を有するフイルムを複合する必要がないことから、コストの低減が可能である。
【００２５】
また、合掌貼り部分をヒートシール方式ではないホットメルトを用いて接着させた場合、電子レンジ等で袋ごと加熱した場合にこのホットメルトが溶融し、合掌貼り部分が剥がれてしまい、開封ができなくなったり、冷凍食品やチルド食品においては接着強度不足により開封障害が発生したりするという問題が発生していたが、これらの問題がなくなる。
【図面の簡単な説明】
【００２６】
【図１】本発明に係るピロー包装袋の説明図。
【図２】（Ａ）（Ｂ）押さえテープの粘着方法の説明図。
【図３】押さえテープの説明図。
【図４】押さえテープの説明図。
【図５】押さえテープの説明図。
【図６】押さえテープと粘着剤の説明図
【図７】開封時の説明図
【図８】本発明に係るピロー包装袋の製造工程の説明図。
【図９】（Ａ）（Ｂ）特許第４３３８１７５号特許発明の説明図。
【図１０】（Ａ）（Ｂ）ホットメルト使用の従来のピロー包装袋の説明図。
【発明を実施するための形態】
【実施例１】
【００２７】
本実施例１は、合掌貼り部分を粘着テープを用いて袋本体の裏面に密着固定した例であって、請求項１に記載の発明に対応している。
【００２８】
図中符号の１は、袋本体であって、この袋本体１はカスバリア性フイルムの内面にヒートシール性フイルムがラミネートされ、表面にはヒートシール性のないフイルムがラミネートされた複合フイルムで製造されている。
【００２９】
２は、前記複合フイルムの両端を引き寄せて合掌貼りシールを行うことにより袋本体
１を円筒状に形成した合掌貼りシール部である。
【００３０】
３は、前記合掌貼りシール２の先端縁の一部に形成した易開封手段としてのＩ状の切り込みであって、この切り込み３は９ｍｍの間に５形成されている。
なお、この切り込み３は、Ｖ又はマジックカットと称される傷痕としても良い。
【００３１】
５は、袋本体１の図中左側端部において、袋本体１の表と裏フイルムが一体となるように形成されたヒートシール部であって、このヒートシール部５には前記易開封手段３に向けてＩノッチ６が形成されている。
【００３２】
８は、前記合掌貼りシール２部分を前記ヒートシール部５側（Ｉノッチ６側）に向けて倒し、この倒した状態を固定するように押さえつけている粘着テープであて、この粘着テープ８は図１及び図２（Ａ）に示すように合掌貼りシール２を横断しているが、図２（Ｂ）に示すように、易開封手段３側のみを覆うように粘着を行い、易開封手段３部分を袋本体１の裏面に密着固定しても良い。
【００３３】
なお、上記の粘着テープ８はあらかじめ粘着剤９が付着されており、合掌貼りシール２の部分に押えつけるだけで貼り付けを行うことが可能であるが、粘着剤９を付着させていないテープの場合は、貼り付けるときに接着剤を塗布する。
【００３４】
また、粘着テープ８に替えてラベルやシールを用いて合掌貼りシール２の易開封手段３部分を密着固定するようにしても良い。
【００３５】
図３〜図５は、上記した粘着テープ８又はラベル、又はシールの例であるが、この粘着テープ８又はラベル、又はシールには、合掌貼りシール２の部分に設けた易開封手段３と同一方向に向けた図３に示すようなカット性のあるフイルム又は図４に示すようなＶカット８ａ、又は図５に示すような傷痕又は切り込み８ｂを入れておく。この際、基本的にはヒートシール部５のＩノッチ６側の端縁のみで良いが、図４、図５では両サイドに設けられている。図６において９は粘着テープ８又はラベル、又はシールの内面に形成した粘着剤の構成例である。
【００３６】
本実施例において、粘着テープ８は市販のものを使用することができ、ラベルあるいはシールについても同様である。
【００３７】
図７は、図１に示したピロー包装袋を開封している状態を示すもので、粘着テープ８の作用で合掌貼りシール２の易開封手段３部分から引き裂き目が侵入し、合掌貼りシール２部分を簡単に横断することができる。
【００３８】
なお、本実施例１は縦ピロー包装袋の例であるが、横ピロー包装袋も袋単位では同様の構成となる。
【実施例２】
【００３９】
本実施例２は、図１に示したピロー包装袋の製法（製造工程）を示し、請求項１０に記載した発明に対応する。
【００４０】
先ず、原反ロール１０から繰る出されたフラットなフイルム１０ａの両端１０ｂ、１０ｂ’をセーラー１１により引き寄せたのち、シーラー１２により合掌貼りシール２を行い、円筒状に形成する。
【００４１】
次に、前記合掌貼りシール２部分の先端縁に易開封手段３を形成し、一方に倒す。
【００４２】
次に、前記易開封手段３部分の上部を横一文字にエンドシール１３を行うと共にこのエンドシール１３より下であって、前記倒した合掌貼りシール２の先端部分に形成した易開封手段３と対向する袋本体１の側縁部分にヒートシール部５を形成する。
【００４３】
次に、前記ヒートシール部５にＩノッチ６を形成する。
【００４４】
次に、前記合掌貼りシール２部分に形成した易開封手段３の上を覆い、かつ横断するように横断方向に引き裂き特性を付与した粘着テープ１０（又はラベル又はシール）を貼り付けて合掌貼りシール２部分を袋本体１側の裏面に密着固定する。
【００４５】
次に、前記エンドシール１３の上部に沿ってカット１４を行い、袋単位に形成する。
【００４６】
なお、横ピローの場合には、カット１４は行わず、連続して袋本体１を形成し、内容物を充填したのち袋単位にカットすることになる。
【符号の説明】
【００４７】
１  袋本体
２  合掌貼りシール
３  易開封手段
５  ヒートシール部
６  Ｉノッチ
８  粘着テープ
９  粘着剤
【図１】
0006025168.tif 000002
【図２】
0006025168.tif 000003
【図３】
0006025168.tif 000004
【図４】
0006025168.tif 000005
【図５】
0006025168.tif 000006
【図６】
0006025168.tif 000007
【図７】
0006025168.tif 000008
【図８】
0006025168.tif 000009
【図９】
0006025168.tif 000010
【図１０】
0006025168.tif 000011